(57)【要約】【課題】ディフューザを備える照明装置において、ディフューザの使用の有無を切り替える操作を容易にする。【解決手段】  照明装置は、アクセサリーシューに係合する係合部、前記係合部が固定された本体部、前記本体部に対して回動軸周りに揺動可能な揺動部、前記揺動部に設けられた発光部、およびディフューザを備える照明装置であって、前記ディフューザは、前記回動軸周りに前記揺動部とは独立して前記本体部に対して相対的に回動可能であり、当該回動の範囲の一端は、当該ディフューザが前記発光部の前方に位置する進出位置であり、前記回動の範囲の他端は、当該ディフューザが前記発光部の前方から退避する退避位置である。【選択図】図１４
2018005125.tif 000002
【特許請求の範囲】
【請求項１】
アクセサリーシューに係合する係合部、前記係合部が固定された本体部、前記本体部に対して回動軸周りに揺動可能な揺動部、前記揺動部に設けられた発光部、およびディフューザを備える照明装置であって、
前記ディフューザは、前記回動軸周りに前記揺動部とは独立して前記本体部に対して相対的に回動可能であり、当該回動の範囲の一端は、当該ディフューザが前記発光部の前方に位置する進出位置であり、前記回動の範囲の他端は、当該ディフューザが前記発光部の前方から退避する退避位置である
ことを特徴とする照明装置。
【請求項２】
前記ディフューザは、前記本体部の外表面の前記回動軸と交差する一対の端部を挟持する一対の腕部を備え、前記一対の腕部は弾性変形することにより前記本体部から取り外しが可能である
ことを特徴とする請求項１に記載の照明装置。
【請求項３】
前記ディフューザが前記進出位置に位置している場合において、前記ディフューザと前記揺動部との間には、前記揺動部を回動可能とするための空間部が設けられている
ことを特徴とする請求項１または２に記載の照明装置。
【発明の詳細な説明】
【技術分野】
【０００１】
本発明は、撮像装置とともに用いられる照明装置に関する。
【背景技術】
【０００２】
カメラやビデオカメラ等の撮像装置による撮影時には、被写体を照明するための光を出射する照明装置が用いられる場合がある。照明装置を用いて撮像装置により撮影を行う場合、例えば特許第５５２６５３３号公報や実開平２−１７３８号公報に開示されているように照明装置から出射される光を拡散させるディフューザが用いられる場合がある。
【先行技術文献】
【特許文献】
【０００３】
【特許文献１】特許第５５２６５３３号公報
【特許文献２】実開平２−１７３８号公報
【発明の概要】
【発明が解決しようとする課題】
【０００４】
撮像装置用の照明装置に装着されるディフューザは、使用者の操作により容易に使用の有無を選択できることが好ましい。
【０００５】
本発明は、ディフューザを備える照明装置において、ディフューザの使用の有無を切り替える操作を容易にすることを目的とする。
【課題を解決するための手段】
【０００６】
本発明の一態様による照明装置は、アクセサリーシューに係合する係合部、前記係合部が固定された本体部、前記本体部に対して回動軸周りに揺動可能な揺動部、前記揺動部に設けられた発光部、およびディフューザを備える照明装置であって、前記ディフューザは、前記回動軸周りに前記揺動部とは独立して前記本体部に対して相対的に回動可能であり、当該回動の範囲の一端は、当該ディフューザが前記発光部の前方に位置する進出位置であり、前記回動の範囲の他端は、当該ディフューザが前記発光部の前方から退避する退避位置である。
【発明の効果】
【０００７】
本発明によれば、ディフューザを備える照明装置において、ディフューザの使用の有無を切り替える操作を容易にすることが可能である。
【図面の簡単な説明】
【０００８】
【図１】照明装置システムおよび撮像装置の斜視図である。
【図２】照明装置システムの使用者の操作により分離可能な構成を離して示した図である。
【図３】照明装置システムを前方から見た図である。
【図４】照明装置システムを、照明装置の回動軸に沿う方向から見た図である。
【図５】照明装置支持用アダプタシステムを前方から見た図である。
【図６】図５のVI-VI断面図である。
【図７】図６に示す断面において、照明装置支持用アダプタと照明装置支持台との係合を解除した状態を示す図である。
【図８】図６のVIII-VIII断面図である。
【図９】図８に示す断面において、位置固定機構部による固定を解除した状態を示す図である。
【図１０】ディフューザの外観を示す図である。
【図１１】ディフューザの外観を示す図である。
【図１２】図１０のXII-XII断面図である。
【図１３】ディフューザを装着した照明装置を前方から見た図である。
【図１４】ディフューザを装着した照明装置および照明装置支持台を回動軸に沿う方向から見た図である。
【発明を実施するための形態】
【０００９】
以下に、本発明の好ましい形態について図面を参照して説明する。なお、以下の説明に用いる各図においては、各構成要素を図面上で認識可能な程度の大きさとするため、構成要素毎に縮尺を異ならせてあるものであり、本発明は、これらの図に記載された構成要素の数量、構成要素の形状、構成要素の大きさの比率、および各構成要素の相対的な位置関係のみに限定されるものではない。
【００１０】
図１は、照明装置システム１０および撮像装置１の斜視図である。以下の説明においては、撮像装置１のレンズ２の光軸Ｏに沿って、レンズ２から被写体に向かう方向を前方と称し、この反対方向を後方と称する。照明装置システム１０は、後述するように撮像装置１またはレンズ２に対して着脱可能であるが、以下の説明における照明装置システム１０の各構成の方向は、図１に示すように、照明装置システム１０が撮像装置１またはレンズ２に装着された状態における方向を指すものとする。すなわち、照明装置システム１０を構成する部材の前方とは、図１に示すように、照明装置システム１０が撮像装置１またはレンズ２に装着された状態においてレンズ２の光軸Ｏに沿って、レンズ２から被写体に向かう方向のことである。
【００１１】
本実施形態の照明装置システム１０は、図１に示すように、撮像装置１のレンズ２の前方側端部の近傍において１つまたは複数の照明装置１１を保持する。なお、レンズ２は、撮像装置１に脱着可能な形態であってもよいし、撮像装置１内に組み込まれた形態であってもよい。
【００１２】
撮像装置１またはレンズ２は、雌ネジ部（不図示）を有している。レンズ２の光軸Ｏは雌ネジ部の内部を貫通している。雌ネジ部３の中心は、レンズ２の光軸Ｏと略一致する。雌ネジ部は、フィルタやコンバージョンレンズ等を取り付けるためのものであり、撮像装置の技術分野において一般的に用いられるものである。
【００１３】
また、本実施形態では一例として、撮像装置１はアクセサリーシュー４を備える。アクセサリーシュー４は、フラッシュ装置等の外部装置を撮像装置１に着脱可能な状態で固定する部位である。本実施形態のアクセサリーシュー４は、撮像装置１の分野において広く用いられている規格化された形状を有しており、外部装置に設けられた係合部が嵌合する。
【００１４】
照明装置システム１０は、１つ又は複数の照明装置１１と、照明装置支持用アダプタシステム（以下、単に「アダプタシステム」と称する））３０と、を備える。なお、図示する本実施形態では一例として、照明装置システム１０は、２つの照明装置１１を有しているが、照明装置システム１０が備える照明装置１１の数は変更可能であってもよい。
【００１５】
概略的には、照明装置システム１０は、撮像装置１またはレンズ２に設けられた雌ネジ部を用いて、レンズ２の前方または外周部に１つ又は複数の照明装置１１を保持する。
【００１６】
照明装置１１は、光を出射する発光部１１ａを備える。発光部１１ａは、キセノン管を用いたフラッシュであってもよいし、ＬＥＤであってもよい。本実施形態では一例として、発光部１１ａはフラッシュである。
【００１７】
照明装置１１の発光動作の制御は、本実施形態では一例として、電源装置１２によって行われる。照明装置１１と電源装置１２とは、ケーブル１３を介して電気的に接続される。
【００１８】
電源装置１２は、撮像装置１のアクセサリーシュー４に着脱可能である。電源装置１２は、アクセサリーシュー４に取り付けられた状態において、撮像装置１の動作に応じて照明装置１１の発光動作を制御する。
【００１９】
また、電源装置１２は、一次電池または二次電池である電池を収納しており、電池の電力をケーブル１３を介して照明装置１１に供給する。すなわち、ケーブル１３は、照明装置１１が電力供給を受けるための構成である。
【００２０】
なお、照明装置１１は、ケーブル１３を介して撮像装置１に電気的に接続される形態であってもよい。この場合、照明装置１１の発光動作の制御と照明装置１１への電力の供給は、撮像装置１によって行われる。
【００２１】
図２は、照明装置システム１０の使用者の操作により分離可能な構成を離して示した図である。図２に示すように、照明装置１１は、係合部１１ｃが設けられた本体部１１ｂを有している。係合部１１ｃは、後述する照明装置支持台３２に設けられたアクセサリーシュー３４と係合する部位である。すなわち、本体部１１ｂは、係合部１１ｃを介して照明装置支持台３２に固定される部位である。
【００２２】
本実施形態では一例として、係合部１１ｃは、アクセサリーシュー４とも係合可能な形状を有する。すなわち、アクセサリーシュー４と、照明装置支持台３２に設けられたアクセサリーシュー３４とは、略同一の形状である。したがって、照明装置１１は、アダプタシステム３０を用いなくとも、係合部１１ｃを介して撮像装置１やフラッシュ装置を支持するための市販のブラケット等にも固定可能である。
【００２３】
なお、本実施形態では、照明装置支持台３２に設けられたアクセサリーシュー３４は、前方から係合部１１ｃを挿入するように配置されている。したがって、照明装置システム１０が雌ネジ部に固定された状態であっても、照明装置１１を着脱することができる。
【００２４】
また、照明装置１１の係合部１１ｃの底面１１ｇには、雌ネジであるネジ穴１１ｆが設けられている。ネジ穴１１ｆは、三脚の雲台等に用いられる雄ネジと同一の呼び径のものである。すなわち、照明装置１１は、市販の雲台等にも固定可能である。
【００２５】
また、係合部１１ｃの底面１１ｇからは、脱落防止ピン１１ｈが突出している。脱落防止ピン１１ｈは、アクセサリーシュー３４に設けられた脱落防止穴３４ａと係合し、アクセサリーシュー３４からの照明装置１１の脱落を防止する。脱落防止ピン１１ｈは、本体部１１ｂに設けられた解除ボタン１１ｉが押下された場合に、係合部１１ｃ内に退避する。脱落防止ピン１１ｈが係合部１１ｃ内に退避した状態において、係合部１１ｃをアクセサリーシュー３４から抜き出すことが可能となる。
【００２６】
照明装置１１は、本体部１１ｂに対して、回動軸１１ｄ周りに相対的に回動（揺動）する揺動部１１ｊを備える。揺動部１１ｊには、発光部１１ａが配置されている。すなわち、照明装置１１は、発光部１１ａを回動軸１１ｄ周りに相対的に回動させる揺動機構を有する。したがって、照明装置１１は、本体部１１ｂが固定された状態であっても、発光部１１ａが発する光の出射方向を変更することができる。
【００２７】
図３は、照明装置システム１０を前方から見た図である。図４は、照明装置システム１０を、照明装置１１の回動軸１１ｄに沿う方向から見た図である。
【００２８】
照明装置１１がアダプタシステム３０を介して撮像装置１またはレンズ２の雌ネジ部に固定された状態において、回動軸１１ｄは、レンズ２の光軸に直交する平面上において、光軸Ｏを中心とする円の接線と平行となる。すなわち、回動軸１１ｄは、レンズ２の光軸Ｏに直交する平面上において、レンズ２の光軸を通過する直線と直交する。また、回動軸１１ｄは、照明装置１１がアダプタシステム３０を介して撮像装置１またはレンズ２の雌ネジ部に固定された状態において、係合部１１ｃよりも光軸から遠い位置に配置されている。
【００２９】
図４に示すように、揺動機構は、発光部１１ａを、発光部１１ａが発する光束の中心軸Ｌが前方に向かうにつれて光軸Ｏに近づく姿勢と、発光部１１ａが発する光束の中心軸Ｌが前方に向かうにつれて光軸Ｏから離れる姿勢との間において、回動させることができる。図４において、実線で示す発光部１１ａは、発光部１１ａが発する光束の中心軸Ｌが光軸Ｏと略平行となる位置に位置している。そして、図４において、発光部１１ａがθ１で示す範囲内にある場合には、発光部１１ａが発する光束の中心軸Ｌが前方に向かうにつれて光軸Ｏに近づく。また、図４において、発光部１１ａがθ２で示す範囲内にある場合には、発光部１１ａが発する光束の中心軸Ｌが前方に向かうにつれて光軸Ｏから離れる。このように、照明装置１１は、レンズ２からの被写体までの距離の変化や、照明光のバウンスの必要に応じて、発光部１１ａが発する光の出射方向を変更することができる。
【００３０】
ケーブル１３は、本体部１１ｂから延出している。ケーブル１３の基部１３ａは、本体部１１ｂの、係合部１１ｃとは反対側の端部である遠位端部１１ｋに固定されている。遠位端部１１ｋは、照明装置１１がアダプタシステム３０を介して撮像装置１またはレンズ２の雌ネジ部に固定された状態において、本体部１１ｂの光軸から遠ざかる方向の端部である。前方から見た場合において、遠位端部１１ｋは、回動軸１１ｄよりも光軸Ｏから離れた位置に配置されている。
【００３１】
照明装置１１がアダプタシステム３０を介して撮像装置１またはレンズ２の雌ネジ部に固定された状態において、ケーブル１３の基部１３ａ近傍は、本体部１１ｂの遠位端部１１ｋから、光軸Ｏに直交する直線と略平行に光軸Ｏから遠ざかる方向に延出する。なお、ケーブル１３は可撓性を有することから、ケーブル１３の基部１３ａから離れた部位が延在する方向は可変であり不定である。
【００３２】
また、照明装置１１は、発光部１１ａが発する光を拡散するディフューザ１４を装着可能である。ディフューザ１４およびディフューザ１４を照明装置１１に装着する構成については後述する。
【００３３】
アダプタシステム３０は、照明装置支持用アダプタ（以下、単に「アダプタ」と称する）３１と、照明装置支持台（以下、単に「支持台」と称する）３２と、を有する。
【００３４】
図５は、アダプタシステム３０を前方から見た図である。図６は、図５のVI-VI断面図である。図７は、図６に示す断面において、アダプタ３１と支持台３２との係合を解除した状態を示す図である。図８は、図６のVIII-VIII断面図である。図９は、図８に示す断面において、位置固定機構部３６による固定を解除した状態を示す図である。
【００３５】
概略的には、アダプタ３１は、撮像装置１またはレンズ２の雌ネジ部に螺合する雄ネジ部３１ｄを備え、レンズ２に対して所定の位置に固定可能な部材である。本実施形態では、アダプタ３１は、レンズ２の前方、すなわちレンズ鏡筒の前方に固定される。また、概略的には、支持台３２は、アダプタ３１に対して固定可能であり、かつ照明装置１１の係合部１１ｃが係合するアクセサリーシュー３４を備える部材である。
【００３６】
アダプタ３１は、円筒形状である円筒部３１ａと、円筒部３１ａの外周から外側に突出する板状のフランジ部３１ｂと、を備える。円筒部３１ａは、両端が開口した筒形状である。すなわち、円筒部３１ａには、貫通孔である開口３１ｃが形成されている。
【００３７】
また、円筒部３１ａの一方の端部の外周には、雄ネジ部３１ｄが形成されている。雄ネジ部３１ｄは、撮像装置１またはレンズ２が備える雌ネジ部に螺合する形状を有する。すなわち、雄ネジ部３１ｄは、雌ネジ部と同一の呼び径である。
【００３８】
雄ネジ部３１ｄの中心軸と、開口３１ｃの中心軸とは略一致する。なお、雄ネジ部３１ｄの中心軸とは、雄ネジ部３１ｄを雌ネジ部に螺合させる際に回転する雄ネジ部３１ｄの回転軸のことである。また、本実施形態では開口３１ｃは光軸Ｏと直交する断面形状が円形である直線状の貫通孔であり、中心軸は円柱形状である開口３１ｃの中心を通る直線である。雌ネジ部に螺合した状態の雄ネジ部３１ｄの中心軸は、レンズ２の光軸Ｏと略一致する。
【００３９】
以下では、アダプタ３１において、雄ネジ部３１ｄの中心軸に沿う方向を厚さ方向と称する。また、円筒部３１ａの雄ネジ部３１ｄが形成されている側の端を第１端（後端）と称する。また、円筒部３１ａの雄ネジ部３１ｄが形成されていない側の端を第２端（前端）と称する。雌ネジ部に雄ネジ部３１ｄが螺合した状態では、円筒部３１ａは、第１端が撮像装置１側（後方）に向き、第２端が撮像装置１の被写体側（前方）に向く姿勢となる。雌ネジ部に雄ネジ部３１ｄが螺合した状態において、撮像装置１は、開口３１ｃを通して被写体を撮像することができる。
【００４０】
また、本実施形態では一例として、円筒部３１ａの第２端の内周面には、雌ネジ部３１ｅが形成されている。雌ネジ部３１ｅは、撮像装置１またはレンズ２が備える雌ネジ部と同一の呼び径である。したがって、雌ネジ部３１ｅには、撮像装置１またはレンズ２が備える雌ネジ部に装着可能なフィルタやコンバージョンレンズ等をそのまま取り付けることができる。
【００４１】
フランジ部３１ｂは、雄ネジ部３１ｄよりも第２端に近い位置において、雄ネジ部３１ｄの外径よりも外側に突出する板状の部位である。本実施形態では一例として、フランジ部３１ｂは、円筒部３１ａの外周から所定の距離だけ雄ネジ部３１ｄの中心軸に略直交する方向に延出しており、かつフランジ部３１ｂは円筒部３１ａの外周の円周方向の全体にわたって形成されている。すなわち、フランジ部３１ｂは、雄ネジ部３１ｄの中心軸に略直交する平面に沿った板状の部位である。また、雄ネジ部３１ｄの中心軸に沿った方向（厚さ方向）から見た場合、フランジ部３１ｂの形状は、円形である。そして、厚さ方向から見た場合において、フランジ部３１ｂの外周に沿う円の中心は、雄ネジ部３１ｄの中心軸と一致する。
【００４２】
また、フランジ部３１ｂの外周面は、雄ネジ部３１ｄの中心軸と略平行である。すなわち、フランジ部３１ｂの外周面は、雄ネジ部３１ｄの中心軸を中心とした円柱面である。
【００４３】
フランジ部３１ｂには、係止部３１ｆが設けられている。係止部３１ｆは、後述する支持台３２が有する保持部３３が係合する部位である。
【００４４】
具体的に、係止部３１ｆは、フランジ部３１ｂの第１端側に向く面および第２端側に向く面の少なくとも一方の面から厚さ方向に突出する壁状の部位である。
【００４５】
本実施形態では一例として、係止部３１ｆは、雄ネジ部３１ｄの中心軸を中心とした円に沿って、周方向の全体に連続して形成されている。すなわち、本実施形態の係止部３１ｆは、雄ネジ部３１ｄの中心軸を中心とした円筒形状である。
【００４６】
より具体的に、本実施形態の係止部３１ｆは、フランジ部３１ｂの第１端側に向く面から、第１端側に向かって直立している。円筒形状である係止部３１ｆの外周面３１ｇの直径は、フランジ部３１ｂの直径と同一である。
【００４７】
支持台３２は、保持部３３と、アクセサリーシュー３４と、を備える。保持部３３は、アダプタ３１に対して支持台３２を固定する構成を有する。また、アクセサリーシュー３４は、前述のように照明装置１１の係合部１１ｃが係合する構成を有する。
【００４８】
保持部３３の構成は、アダプタ３１に対して着脱可能であり、かつアクセサリーシュー３４をアダプタ３１に対して固定する構成であれば特に限定されるものではない。例えば、保持部３３は、ネジの締結力によってアダプタ３１のフランジ部３１ｂを厚さ方向に挟み込むクランプ状の構成であってもよいし、バネの弾性力によってアダプタ３１のフランジ部３１ｂを厚さ方向に挟み込むクランプ状の構成であってもよい。
【００４９】
本実施形態の保持部３３は、一例として、アクセサリーシュー３４が固定された基台部３３ａと、アダプタ３１のフランジ部３１ｂを基台部３３ａとの間に厚さ方向に挟み込む脱落防止機構部３５と、アダプタ３１の係止部３１ｆを基台部３３ａとの間に雄ネジ部３１ｄの中心軸に直交する方向に挟み込む位置固定機構部３６と、を備える。言い換えれば、脱落防止機構部３５は、フランジ部３１ｂを基台部３３ａとの間に光軸Ｏに沿う方向（光軸と平行）に挟み込み、位置固定機構部３６は、係止部３１ｆを基台部３３ａとの間に光軸Ｏに直交する方向に挟み込む。
【００５０】
脱落防止機構部３５は、保持部３３をアダプタ３１に対して雄ネジ部３１ｄの中心軸周りに相対的に回動可能としつつ、保持部３３のアダプタ３１からの脱落を防止する。また、位置固定機構部３６は、アダプタ３１に対して相対的に回動可能である保持部３３を、雄ネジ部３１ｄの中心軸周りの回動方向の任意の位置に固定する。
【００５１】
基台部３３ａには、アダプタ３１の係止部３１ｆの内周面３１ｈに当接する当接部３３ｂが設けられている。
【００５２】
脱落防止機構部３５は、可動部材３５ａと、ボルト３５ｂと、を備える。ボルト３５ｂは、可動部材３５ａを貫通し、基台部３３ａに固定されたナット３３ｃに螺合している。可動部材３５ａは、ボルト３５ｂのナット３３ｃに対する相対的な回転に応じて、ボルト３５ｂとともに光軸Ｏと平行な方向に進退移動する。
【００５３】
可動部材３５ａが進退移動することによって、可動部材３５ａと基台部３３ａの当接部３３ｂとの間の離間距離が変化する。図６は、ボルト３５ｂを締め込み、可動部材３５ａを当接部３３ｂに最も近接させた状態を示しており、図７は、ボルト３５ｂを緩め、可動部材３５ａを当接部３３ｂから最も離間させた状態を示している。
【００５４】
可動部材３５ａは、ボルト３５ｂの締め込みによって当接部３３ｂに最も近接した状態において、フランジ部３１ｂを、当接部３３ｂとで光軸Ｏに平行に挟み込む。
【００５５】
フランジ部３ｂを間に挟まずにボルト３５ｂを締め込んだ場合、可動部材３５ａが当接部３３ｂに最も近接した状態において、可動部材３５ａと当接部３３ｂとの間の離間距離は、フランジ部３１ｂの厚さ方向の厚さよりも短い（狭い）。
【００５６】
したがって、可動部材３５ａが当接部３３ｂに最も近接し、かつ可動部材３５ａと当接部３３ｂとの間にフランジ部３１ｂの係止部３１ｆよりも雄ネジ部３１ｄの中心軸も近い領域（フランジ部３１ｂ）を緩く挟み込んだ状態においては、保持部３３がアダプタ３１に対して雄ネジ部３１ｄの中心軸周りに相対的に回動可能であると共に、脱落防止機構部３５が係止部３１ｆに係合することにより保持部３３がアダプタ３１からの脱落することが防止される。
【００５７】
位置固定機構部３６は、押圧部材３６ａおよびバネ部材３６ｂを備える。
【００５８】
押圧部材３６ａは、脱落防止機構部３５が係止部３１ｆに係合している状態において、係止部３１ｆの外周面３１ｇに当接する。また、押圧部材３６ａは、基台部３３ａに対して雄ネジ部３１ｄの中心軸に直交する直線に沿う方向に進退移動が可能である。
【００５９】
バネ部材３６ｂは、ゴム製や金属製のバネである。バネ部材３６ｂは、押圧部材３６ａを係止部３１ｆの外周面３１ｇに向かって押し付ける付勢力を生じる。すなわち、バネ部材３６ｂは、押圧部材３６ａを雄ネジ部３１ｄの中心軸に近づく方向に押す付勢力を生じる。
【００６０】
図８は、押圧部材３６ａが係止部３１ｆの外周面３１ｇに当接している状態を示しており、図９は、押圧部材３６ａが係止部３１ｆの外周面３１ｇから離間している状態を示している。
【００６１】
図８に示すように、脱落防止機構部３５が係止部３１ｆに係合している状態において、バネ部材３６ｂの付勢力によって押圧部材３６ａが係止部３１ｆの外周面３１ｇに押し付けられることにより、保持部３３のアダプタ３１に対する雄ネジ部３１ｄの中心軸周りの位置が固定される。
【００６２】
また、位置固定機構部３６は、解除ボタン３６ｃを備える。解除ボタン３６ｃは、基台部３３ａから突出する押しボタンである。解除ボタン３６ｃは、使用者の手指によって押し込まれた場合に、押圧部材３６ａを係止部３１ｆの外周面３１ｇから離す方向に移動させるカム３６ｄを有する。よって、図９に示すように、解除ボタン３６ｃが押し込まれた状態では、押圧部材３６ａが係止部３１ｆの外周面３１ｇから離れるため、保持部３３はアダプタ３１に対して雄ネジ部３１ｄの中心軸周りに回動することが可能となる。
【００６３】
なお、図８および図９に示す断面において、位置固定機構部３６内に係止部３１ｆが嵌り込む空間部ＳＰは略円弧状に形成されているが、この空間部ＳＰの形状は、直方体形状等であってもよい。
【００６４】
図８および図９に示す本実施形態においては、係止部３１ｆの内周面３１ｈは光軸Ｏを中心とする半径Ｒ１の円筒面であり、係止部３１ｆの外周面３１ｇは光軸Ｏを中心とする半径Ｒ２の円筒面である。
【００６５】
そして、係止部３１ｆの内周面３１ｈに当接する当接部３３ｂは、内周面３１ｈの半径Ｒ１よりも大きい半径Ｒ３の曲面である当接面３３ｂｂを有する。当接部３３ｂは、当接面３３ｂｂにおいて、係止部３１ｆの内周面３１ｈに当接する。なお、当接面３３ｂｂは、平面であってもよい。当接面３３ｂｂと内周面３１ｈと当接しているとき、当接面３３ｂｂの円周方向の両端部（図８および図９においてＰ１およびＰ２で示す箇所）において内周面３１ｈと接触する。
【００６６】
また、本実施形態では、係止部３１ｆの外周面３１ｇに当接する押圧部材３６ａは、表面がゴム材料からなる押圧面Ｐ３を有する。押圧面Ｐ３は、外周面３１ｇの半径Ｒ２と略同一の半径Ｒ４の曲面である。押圧部材３６ａの押圧面Ｐ３が係止部３１ｆの外周面３１ｇに当接した場合、図８に示すように、押圧面Ｐ３は周方向の略全体にわたって外周面３１ｇに密接する。なお、押圧部材３６ａの押圧面Ｐ３は、外周面３１ｇの半径Ｒ２とは異なる半径の曲面であってもよいし、平面であってもよい。
【００６７】
図８に示す状態においては、位置固定機構部３６は当接面３３ｂｂのＰ１およびＰ２と押圧部材３６ａの押圧面Ｐ３との少なくとも３点以上で係止部３１ｆに当接していることになる。本実施形態において、空間部ＳＰを、光軸Ｏに直交する方向に幅広く形成しておけば、内周面３１ｈの半径Ｒ１および外周面３１ｇの半径Ｒ２が変化した場合であっても、係止部３１ｆを空間部ＳＰ内に配置することができる。すなわち、本実施形態では、外径が異なるアダプタ３１の係止部３１ｆに対して、位置固定機構部３６を係合させることができる。
【００６８】
以上に説明した構成により、保持部３３は、アダプタ３１に対して、雄ネジ部３１ｄの中心軸周りの任意の位置に、支持台３２を固定する。そして支持台３２には、アクセサリーシュー３４が設けられているため、当該アクセサリーシュー３４に照明装置１１の係合部１１ｃを係合させることにより、照明装置１１がアダプタ３１に対して固定される。
【００６９】
よって、本実施形態のアダプタシステム３０は、撮像装置１またはレンズ２の雌ネジ部に対して、１つ又は複数の照明装置１１を固定することができる。また、本実施形態のアダプタシステム３０は、保持部３３を、アダプタ３１の雄ネジ部３１ｄの中心軸周りの任意の位置に移動させることができるため、照明装置１１の固定位置をレンズ２の光軸Ｏを中心とした円周方向の任意の位置に変更することができる。
【００７０】
また、支持台３２には、アクセサリーシュー３４よりも前方であって、かつアクセサリーシュー３４よりも光軸Ｏに近い位置に、光軸Ｏと略平行であり光軸Ｏから離れる方向を向いた平面部３２ａが設けられている。平面部３２ａには、凹部３２ｂが形成されている。
【００７１】
以上に説明した構成を有するアダプタシステム３０によれば、異なる呼び径の雄ネジ部３１ｄを有するアダプタ３１を複数用意すれば、異なる呼び径の雌ネジ部を有する撮像装置１またはレンズ２に、照明装置１１を固定することができる。なお、アダプタ３１の雄ネジ部３１ｄと撮像装置１またはレンズ２が備える雌ネジ部との間に、ステップアップリングまたはステップダウンリング等の中間部材を介在させてもよい。また、アダプタ３１のフランジ部３１ｂの光軸Ｏに沿う方向から見た場合の外形は、円形に限られず、矩形状であってもよいし、楕円形状であってもよい。
【００７２】
次に、ディフューザ１４および照明装置１１のディフューザ１４を装着するための構成について説明する。
【００７３】
図３、図４に示すように、照明装置１１の外表面における回動軸１１ｄと交差する２箇所には、それぞれが回動軸１１ｄに沿って反対の方向を向く端面部１１ｅが設けられている。すなわち、回動軸１１ｄが貫通する箇所における、回動軸１１ｄに沿う方向の照明装置１１の外形寸法は、一対の端面部１１ｅの間の距離となる。
【００７４】
この一対の端面部１１ｅのそれぞれには、凹部１１ｍが形成されている。凹部１１ｍは、回動軸１１ｄを略中心とした円形の穴である。一対の凹部１１ｍは、回動軸１１ｄに沿って反対の方向に向かって開口している。この一対の凹部１１ｍは、ディフューザ１４に設けられた突起１４ｃが嵌り込む部位である。
【００７５】
図１０および図１１は、ディフューザ１４の外観を示す図である。また、図１２は、図１０のXII-XII断面図である。図１３は、ディフューザ１４を装着した照明装置１１を前方から見た図である。図１４は、ディフューザ１４を装着した照明装置１１および支持台３２を回動軸に沿う方向から見た図である。
【００７６】
ディフューザ１４は、一対の腕部１４ａ、透光部１４ｂ、一対の突起１４ｃ、第１係止部１４ｄおよび第２係止部１４ｅを備える。本実施形態では一例として、ディフューザ１４は、可視光を透過する透明又は半透明の合成樹脂の一体成型品である。なお、ディフューザ１４は、複数の部品を組み立てることにより形成されるものであってもよい。
【００７７】
一対の腕部１４ａは、向かい合うように配置された一対の板状の部位であり、間に照明装置１１の一対の端面部１１ｅを挟持する。一対の腕部１４ａは、透光部１４ｂによって接続されている。一対の腕部１４ａおよび透光部１４ｂは、略コ字形状を形成する。一対の腕部１４ａは弾性変形が可能である。
【００７８】
一対の腕部１４ａの互いに向かい合う面には、それぞれ突起１４ｃが形成されている。一対の突起１４ｃの離間距離は、一対の端面部１１ｅの間の距離よりも短い。よって、一対の腕部１４ａが一対の端面部１１ｅを挟持した場合において、突起１４ｃは、一対の端面部１１ｅに設けられた凹部１１ｍ内にその弾性を利用して嵌り込む。一対の突起１４ｃが、照明装置１１に設けられた凹部１１ｍ内に嵌り込むことにより、一対の腕部１４ａが一対の端面部１１ｅを挟持する位置が定められる。
【００７９】
また、突起１４ｃは、凹部１１ｍ内において、回動軸１１ｄ周りに回動可能である。したがって、一対の腕部１４ａは、一対の端面部１１ｅを挟持した状態において、照明装置１１に対して回動軸１１ｄ周りに相対的に回動可能となる。なお、突起１４ｃと凹部１１ｍは、凹凸形状の関係が逆であってもよい。すなわち、ディフューザ１４の一対の腕部１４ａのそれぞれに凹部が設けられており、一対の端面部１１ｅのそれぞれに突起が設けられていてもよい。
【００８０】
図１４に示すように、一対の腕部１４ａが照明装置１１に対して回動軸１１ｄ周りに相対的に回動することによって、ディフューザ１４は、透光部１４ｂが発光部１１ａの前方に位置する進出位置と、透光部１４ｂが発光部１１ａの前方から退避する退避位置と、の間で揺動する。
【００８１】
ディフューザ１４が揺動する範囲のうち、透光部１４ｂが光軸Ｏに最も近づく位置が、進出位置である。図１４では、進出位置に移動したディフューザ１４を二点鎖線で示してある。また、ディフューザ１４が揺動する範囲のうち、透光部１４ｂが光軸Ｏから最も遠ざかる位置が退避位置である。進出位置と退避位置との間のディフューザ１４の揺動角度は、およそ９０度である。この揺動角度は必ずしも９０度である必要はなく、９０度超であってもよいし、９０度未満であってもよい。
【００８２】
透光部１４ｂと揺動部１１ｊとの間には、両者の干渉を避けるための空間部１４ｆが設けられている。よって、透光部１４ｂと発光部１１ａが設けられた揺動部１１ｊとは、それぞれが独立して本体部１１ｂに対して回動軸１１ｄ周りに回動可能である。これにより揺動部１１ｊとディフューザ１４とが互いに独立して回動することができ、透光部１４ｂと射出光の関係が変化するため、透光部１４ｂを透過した照射光の範囲や、拡散性を変化させることができる。その結果、撮影した写真に対しても変化を持たせることができる。また、揺動部１１ｊの回動範囲において、進出位置の光軸側は発光部１１ａがディフューザ１４で覆われていることで近接撮影（マクロ撮影）時にはレンズ至近距離まで光を拡散させることが可能となっている。本実施形態においては発光部１１ａの覆われている部分は円弧状であるが、箱型でも斜面でもよく形状は限定されない。
【００８３】
透光部１４ｂが進出位置に位置している場合には、揺動部１１ｊがいずれの位置にあっても、発光部１１ａと被写体との間に透光部１４ｂが存在する。よって、発光部１１ａから出射された照明光は、透光部１４ｂを透過する際に拡散される。一方、透光部１４ｂが退避位置に位置している場合には、透光部１４ｂの全体が、発光部１１ａよりも光軸Ｏから遠い位置に位置する。なお、本実施形態では、透光部１４ｂの表面に、透過する光を拡散させるための凹凸が設けられているが、透光部１４ｂの表面は平坦であってもよい。
【００８４】
ディフューザ１４が進出位置にある状態において、透光部１４ｂの光軸Ｏに最も近接する部位には、第１係止部１４ｄが形成されている。第１係止部１４ｄは、ディフューザ１４が進出位置にある状態において支持台３２に係合することによって、ディフューザ１４を進出位置に保持する。
【００８５】
第１係止部１４ｄは、透光部１４ｂの撓み変形可能な弾性部分に設けられた凸部もしくは凹部であって、支持台３２に設けられた凹部もしくは凸部と係合する。
【００８６】
本実施形態では一例として、透光部１４ｂには、ディフューザ１４が進出位置にある状態において、支持台３２の平面部３２ａと対向する舌片部１４ｇが設けられている。そして、第１係止部１４ｄは、ディフューザ１４が進出位置にある状態において、舌片部１４ｇから平面部３２ａに向かって突出する凸部である。第１係止部１４ｄは、ディフューザ１４が進出位置にある状態において、平面部３２ａに設けられた凹部３２ｂに係合する。
【００８７】
第２係止部１４ｅは、ディフューザ１４が退避位置にある状態において、ケーブル１３の基部１３ａ近傍の部位と係合する。第２係止部１４ｅは、ディフューザ１４が退避位置にある状態においてケーブル１３と係合することによって、ディフューザ１４を退避位置に保持する。
【００８８】
本実施形態では一例として、第２係止部１４ｅは、透光部１４ｂに設けられた馬蹄形の切り欠きであって、ケーブル１３を内部に挟み込むことにより、ケーブル１３を係合する。
【００８９】
以上に説明したように、本実施形態では、ディフューザ１４を、照明装置１１に容易に着脱可能である。また本実施形態では、照明装置１１にディフューザ１４を装着した状態において、ディフューザ１４を回動軸１１ｄ周りに揺動させることにより、ディフューザ１４による照明光の拡散の有無を切り替える操作を容易に実行可能である。また、本実施形態では、ディフューザ１４を装着した状態において、発光部１１ａが設けられた揺動部１１ｊをディフューザ１４と干渉することなく回動軸１１ｄ周りに揺動させることができる。
【００９０】
なお、本発明は、前述した実施形態に限られるものではなく、請求の範囲および明細書全体から読み取れる発明の要旨或いは思想に反しない範囲で適宜変更可能であり、そのような変更を伴う照明装置もまた本発明の技術的範囲に含まれるものである。
【符号の説明】
【００９１】
１    撮像装置、
２    レンズ、
４    アクセサリーシュー
１０    照明装置システム、
１１    照明装置、
１１ａ    発光部、
１１ｂ    本体部、
１１ｃ    係合部、
１１ｄ    回動軸、
１１ｅ    端面部、
１１ｆ    ネジ穴、
１１ｇ    底面、
１１ｈ    脱落防止ピン、
１１ｉ    解除ボタン、
１１ｊ    揺動部、
１１ｋ    遠位端部、
１１ｍ    凹部、
１２    電源装置、
１３    ケーブル、
１３ａ    基部、
１４    ディフューザ、
１４ａ    腕部、
１４ｂ    透光部、
１４ｃ    突起、
１４ｄ    第１係止部、
１４ｅ    第２係止部、
１４ｆ    空間部、
１４ｇ    舌片部、
３０    照明装置支持用アダプタシステム（アダプタシステム）、
３１    照明装置支持用アダプタ（アダプタ）、
３１ａ    円筒部、
３１ｂ    フランジ部、
３１ｃ    開口、
３１ｄ    雄ネジ部、
３１ｅ    雌ネジ部、
３１ｆ    係止部、
３１ｇ    外周面、
３１ｈ    内周面、
３２    照明装置支持台（支持台）、
３２ａ    平面部、
３２ｂ    凹部、
３３    保持部、
３３ａ    基台部、
３３ｂ    当接部、
３３ｃ    ナット、
３４    アクセサリーシュー、
３４ａ    脱落防止穴、
３５    脱落防止機構部、
３５ａ    可動部材、
３５ｂ    ボルト、
３６    位置固定機構部、
３６ａ    押圧部材、
３６ｂ    バネ部材、
３６ｃ    解除ボタン、
３６ｄ    カム。
【図１】
2018005125.tif 000003
【図２】
2018005125.tif 000004
【図３】
2018005125.tif 000005
【図４】
2018005125.tif 000006
【図５】
2018005125.tif 000007
【図６】
2018005125.tif 000008
【図７】
2018005125.tif 000009
【図８】
2018005125.tif 000010
【図９】
2018005125.tif 000011
【図１０】
2018005125.tif 000012
【図１１】
2018005125.tif 000013
【図１２】
2018005125.tif 000014
【図１３】
2018005125.tif 000015
【図１４】
2018005125.tif 000016